(57)【要約】【課題】意匠情報の検索結果をユーザー毎に効率良く再利用することが可能なサーバー装置および表示用データ制御方法を提供する。【解決手段】サーバー装置は、意匠に関する図面情報と、当該意匠を一意に特定する意匠特定情報を含む属性情報とが関連付けられた意匠情報を記憶する意匠情報データベースから、ユーザーにより設定された検索条件に適合する意匠情報を検索する意匠情報検索部と、意匠情報検索部により検索された意匠情報の意匠特定情報を記憶する検索結果記憶部と、検索結果記憶部に記憶された意匠特定情報のうち、ユーザーに選択された意匠特定情報を記憶するユーザー記憶部と、検索結果記憶部に記憶された意匠特定情報を含む属性情報を属性情報表示領域に表示させるとともに、当該意匠特定情報に対応する図面情報を図面情報表示領域に表示させるための表示用データをクライアント装置に送信する制御を行う表示用データ制御部とを備える。【選択図】図１
2018045589.tif 000002
【特許請求の範囲】
【請求項１】
ネットワークを介したクライアント装置からの要求に基づいて、当該要求に応じた処理を実行するサーバー装置であって、
意匠に関する図面情報と、当該意匠を一意に特定する意匠特定情報を含む属性情報とが関連付けられた意匠情報を記憶する意匠情報データベースから、ユーザーにより設定された検索条件に適合する意匠情報を検索する意匠情報検索部と、
前記意匠情報検索部により検索された意匠情報の意匠特定情報を記憶する検索結果記憶部と、
前記検索結果記憶部に記憶された意匠特定情報のうち、前記ユーザーに選択された意匠特定情報を記憶するユーザー記憶部と、
前記検索結果記憶部に記憶された意匠特定情報を含む属性情報を属性情報表示領域に表示させるとともに、当該意匠特定情報に対応する図面情報を図面情報表示領域に表示させるための表示用データを前記クライアント装置に送信する制御を行う表示用データ制御部と、
を備えるサーバー装置。
【請求項２】
前記表示用データ制御部は、前記ユーザーの指示に応じて、前記属性情報表示領域における前記属性情報の表示位置、および、前記図面情報表示領域における前記図面情報の表示位置のそれぞれを独立に変更する、
請求項１に記載のサーバー装置。
【請求項３】
前記表示用データ制御部は、前記属性情報と、当該属性情報に対応する図面情報とを関連付けて前記属性情報表示領域に表示させる、
請求項１または２に記載のサーバー装置。
【請求項４】
前記表示用データ制御部は、前記ユーザーの指示に応じて、前記属性情報または図面情報表示領域に表示される図面情報の種類を変更する、
請求項３に記載のサーバー装置。
【請求項５】
前記表示用データ制御部は、前記図面情報表示領域に表示された図面情報のうち前記ユーザーにより選択された図面情報に対応する属性情報を前記属性情報表示領域に表示させる、
請求項１〜４の何れか１項に記載のサーバー装置。
【請求項６】
前記表示用データ制御部は、前記ユーザー記憶部に記憶された意匠特定情報を含む属性情報を属性情報表示領域に表示させるとともに、当該意匠特定情報に対応する図面情報を図面情報表示領域に表示させる、
請求項１〜５の何れか１項に記載のサーバー装置。
【請求項７】
前記ユーザー記憶部は、前記図面情報表示領域に表示された図面情報のうち前記ユーザーにより選択された図面情報に対応する意匠特定情報を記憶する、
請求項６に記載のサーバー装置。
【請求項８】
前記表示用データ制御部は、前記ユーザーの指示に応じて、前記属性情報表示領域における前記属性情報の表示位置、および、前記図面情報表示領域における前記図面情報の表示位置のそれぞれを独立に変更する、
請求項６または７に記載のサーバー装置。
【請求項９】
前記表示用データ制御部は、前記属性情報と、当該属性情報に対応する図面情報とを関連付けて前記属性情報表示領域に表示させる、
請求項６〜８の何れか１項に記載のサーバー装置。
【請求項１０】
前記表示用データ制御部は、前記ユーザーの指示に応じて、前記属性情報または図面情報表示領域に表示される図面情報の種類を変更する、
請求項９に記載のサーバー装置。
【請求項１１】
前記表示用データ制御部は、前記図面情報表示領域に表示された図面情報のうち前記ユーザーにより選択された図面情報に対応する属性情報を前記属性情報表示領域に表示させる、
請求項６〜１０の何れか１項に記載のサーバー装置。
【請求項１２】
前記表示用データ制御部は、複数の前記ユーザー記憶部に記憶された意匠特定情報に対応する図面情報を複数の図面情報表示領域に同時に表示させる、
請求項１〜１１の何れか１項に記載のサーバー装置。
【請求項１３】
第１図面情報表示領域に表示された第１図面情報を第２図面情報表示領域に移動させる前記ユーザーの指示により、前記第１図面情報に対応する第１意匠特定情報の記憶場所を第１ユーザー記憶部から第２ユーザー記憶部に変更する記憶制御部を更に備える、
請求項１２に記載のサーバー装置。
【請求項１４】
第１図面情報表示領域に表示された第１図面情報を第２図面情報表示領域に移動させる前記ユーザーの指示により、前記第１図面情報に対応する第１意匠特定情報の記憶場所を第１ユーザー記憶部から第１および第２ユーザー記憶部に変更する記憶制御部を更に備える、
請求項１２に記載のサーバー装置。
【請求項１５】
前記記憶制御部は、前記第１図面情報が本意匠の第１意匠特定情報に対応する場合、前記第１意匠特定情報、および、前記第１ユーザー記憶部に記憶され前記本意匠に関連する関連意匠の第２意匠特定情報の記憶場所を前記第１ユーザー記憶部から前記第２ユーザー記憶部に変更する、
請求項１３に記載のサーバー装置。
【請求項１６】
ネットワークを介したクライアント装置からの要求に基づいて、当該要求に応じた処理を実行するサーバー装置の表示用データ制御方法であって、
意匠に関する図面情報と、当該意匠を一意に特定する意匠特定情報を含む属性情報とが関連付けられた意匠情報を記憶する意匠情報データベースから、ユーザーにより設定された検索条件に適合する意匠情報を検索し、
検索された意匠情報の意匠特定情報を検索結果記憶部に記憶し、
前記記憶された意匠特定情報のうち、前記ユーザーに選択された意匠特定情報をユーザー記憶部に記憶し、
前記検索結果記憶部に記憶された意匠特定情報を含む属性情報を属性情報表示領域に表示させるとともに、当該意匠特定情報に対応する図面情報を図面情報表示領域に表示させるための表示用データを前記クライアント装置に送信する制御を行う、
表示用データ制御方法。
【発明の詳細な説明】
【技術分野】
【０００１】
本発明は、サーバー装置および表示用データ制御方法に関する。
【背景技術】
【０００２】
従来、産業財産権の一つである意匠権に関し、データベースに記憶されている意匠登録出願又は意匠権に関する意匠情報を検索して表示可能な検索サービスが提供されている。
【０００３】
また、一度検索を行って得られた検索結果を保存して複数のユーザーで共有することで、重複検索の手間の削減に加えて、過去の検索結果を再活用することを可能にする検索結果共有サービスも提供されている。
【０００４】
特許文献１には、意匠情報の検索に関する技術ではないが、撮影された複数の写真画像のうち、所定の選択基準に沿って選択された写真画像を用いてアルバムを作成する技術が開示されている。具体的には、特許文献１には、複数の写真画像から適切な画像をドラッグアンドドロップ操作して、いくつかのアルバムサンプルを作り、データベース化する方法が開示されている。
【先行技術文献】
【特許文献】
【０００５】
【特許文献１】特表２００４−５１４９７６号公報
【発明の概要】
【発明が解決しようとする課題】
【０００６】
ところで、上記意匠情報の検索結果を複数のユーザーで共有する際、当該検索結果を構成する複数の意匠情報のうち再活用する可能性のある意匠情報はユーザー毎に異なる場合がある。この場合、各ユーザーは、ユーザー自身の観点で、検索結果を構成する全ての意匠情報ではなく、再活用する可能性のある意匠情報に絞って管理したいという要望があった。この要望が実現できれば、意匠情報の検索結果をユーザー毎に効率良く再利用することが可能である。
【０００７】
なお、特許文献１においては、撮影された複数の写真画像の中から、複数のユーザーのそれぞれの観点で写真画像を選択することについてすら記載も示唆もされていない。そのため、特許文献１に記載の技術を用いて、上記要望を実現することはできない。
【０００８】
本発明の目的は、意匠情報の検索結果をユーザー毎に効率良く再利用することが可能なサーバー装置および表示用データ制御方法を提供することである。
【課題を解決するための手段】
【０００９】
本発明に係るサーバー装置は、
ネットワークを介したクライアント装置からの要求に基づいて、当該要求に応じた処理を実行するサーバー装置であって、
意匠に関する図面情報と、当該意匠を一意に特定する意匠特定情報を含む属性情報とが関連付けられた意匠情報を記憶する意匠情報データベースから、ユーザーにより設定された検索条件に適合する意匠情報を検索する意匠情報検索部と、
前記意匠情報検索部により検索された意匠情報の意匠特定情報を記憶する検索結果記憶部と、
前記検索結果記憶部に記憶された意匠特定情報のうち、前記ユーザーに選択された意匠特定情報を記憶するユーザー記憶部と、
前記検索結果記憶部に記憶された意匠特定情報を含む属性情報を属性情報表示領域に表示させるとともに、当該意匠特定情報に対応する図面情報を図面情報表示領域に表示させるための表示用データを前記クライアント装置に送信する制御を行う表示用データ制御部と、
を備える。
【００１０】
本発明に係る表示用データ制御方法は、
ネットワークを介したクライアント装置からの要求に基づいて、当該要求に応じた処理を実行するサーバー装置の表示用データ制御方法であって、
意匠に関する図面情報と、当該意匠を一意に特定する意匠特定情報を含む属性情報とが関連付けられた意匠情報を記憶する意匠情報データベースから、ユーザーにより設定された検索条件に適合する意匠情報を検索し、
検索された意匠情報の意匠特定情報を検索結果記憶部に記憶し、
前記記憶された意匠特定情報のうち、前記ユーザーに選択された意匠特定情報をユーザー記憶部に記憶し、
前記検索結果記憶部に記憶された意匠特定情報を含む属性情報を属性情報表示領域に表示させるとともに、当該意匠特定情報に対応する図面情報を図面情報表示領域に表示させるための表示用データを前記クライアント装置に送信する制御を行う。
【発明の効果】
【００１１】
本発明によれば、意匠情報の検索結果をユーザー毎に効率良く再利用することができる。
【図面の簡単な説明】
【００１２】
【図１】本発明の実施の形態における意匠情報管理システムの構成を示すブロック図である。
【図２】本発明の実施の形態におけるカテゴリの作成例を示す図である。
【図３】本発明の実施の形態における表示部に表示された意匠情報（検索結果）を示す図である。
【図４】本発明の実施の形態における表示部に表示された意匠情報を示す図である。
【図５】本発明の実施の形態における表示部に一覧表示された意匠情報（検索結果）を示す図である。
【図６】本発明の実施の形態における表示部に一覧表示された意匠情報（カテゴリに関連付けられた意匠情報）を示す図である。
【図７】本発明の実施の形態における表示部にカテゴリ毎に表示された図面情報を示す図である。
【図８】本発明の実施の形態における表示態様設定画面を示す図である。
【発明を実施するための形態】
【００１３】
以下、図面を適宜参照して、本発明の一実施の形態について詳細に説明する。
【００１４】
＜意匠情報管理システムの構成＞
図１は、本実施の形態における意匠情報管理システム１０の機能構成を示すブロック図である。意匠情報管理システム１０は、ネットワーク（例えば、インターネット）を介して接続されたクライアント装置１００およびサーバー装置２００を備えて構成される。ユーザーは、クライアント装置１００を用いて、サーバー装置２００が提供する各種のサービスにログインして当該サービスを受けることができる。
【００１５】
クライアント装置１００は、入力受付部１１０、表示用データ受信部１２０、表示制御部１３０および表示部１４０を備えて構成される。
【００１６】
入力受付部１１０は、図示しない操作部を介してユーザーによる各種の入力を受け付ける。そして、入力受付部１１０は、受け付けた入力に応じた入力信号をサーバー装置２００に送信する。例えば、入力受付部１１０は、サーバー装置２００が提供するサービスにユーザーがログインするために必要なユーザーＩＤおよびパスワードの入力を受け付ける。
【００１７】
表示用データ受信部１２０は、サーバー装置２００からクライアント装置１００にサービスが提供される場合、サーバー装置２００から送信された表示用データを受信する。そして、表示用データ受信部１２０は、受信した表示用データを表示制御部１３０に出力する。
【００１８】
表示制御部１３０は、表示用データ受信部１２０から送信された表示用データに応じて、各種の表示を表示部１４０（例えば、ディスプレイ）に対して行う。
【００１９】
サーバー装置２００は、ネットワークを介したクライアント装置１００からの要求に基づいて、当該要求に応じた処理を実行する。サーバー装置２００は、検索条件設定部２１０、意匠情報検索部２２０、意匠情報データベース２３０、記憶領域生成部２４０、記憶部２５０、記憶制御部２６０、表示用データ制御部２７０、表示用データ送信部２８０および表示態様設定部２９０を備えて構成される。
【００２０】
検索条件設定部２１０は、入力受付部１１０から送信された入力信号が示す第１検索条件、または入力受付部１１０から予め送信された入力信号が示す第２検索条件を設定し、設定した第１または第２検索条件を示す信号を意匠情報検索部２２０に出力する。
【００２１】
第１検索条件は、意匠情報データベース２３０に記憶されている意匠情報を検索対象とし、意匠情報を検索するための検索条件である。第２検索条件は、意匠情報データベース２３０に新規に追加された意匠情報を検索対象とし、意匠情報検索部２２０により定期的に検索された意匠情報を配信してもらうサービスの提供を受けるために予め設定したＳＤＩ検索条件である。第１または第２検索条件（以下、まとめて「検索条件」ともいう）は、例えば、意匠に係る物品、意匠分類、出願番号、登録番号または意匠権者等である。
【００２２】
意匠情報検索部２２０は、意匠情報データベース２３０に記憶されている意匠情報のうち、検索条件設定部２１０から入力した信号が示す検索条件（第１または第２検索条件）に適合する意匠情報を検索し、その検索結果を記憶制御部２６０および表示用データ制御部２７０に出力する。
【００２３】
意匠情報データベース２３０は、意匠に関する意匠図面情報と、当該意匠を一意に特定する意匠特定情報を含む属性情報とを対応付けて有する意匠情報を記憶する。属性情報は、例えば出願番号、登録番号、意匠出願人または意匠権者等の書誌情報である。意匠特定情報は、例えば出願番号、登録番号等である。意匠情報は、例えば意匠公開公報または意匠登録公報である。
【００２４】
記憶領域生成部２４０は、入力受付部１１０から送信された入力信号に基づいて、意匠情報検索部２２０により検索された意匠情報の意匠特定情報のうち、ユーザーに選択された意匠特定情報を記憶するための記憶領域（本発明の「ユーザー記憶部」に対応）を記憶部２５０に生成する。本実施の形態では、記憶領域は、カテゴリ（カスタムＤＢ）として生成される。
【００２５】
記憶部２５０には、記憶領域生成部２４０により１つまたは複数の記憶領域が生成される。そして、記憶領域には、意匠特定情報が記憶される。
【００２６】
記憶制御部２６０は、第１検索条件に基づいて意匠情報検索部２２０により検索された意匠情報の意匠特定情報を記憶部２５０（本発明の「検索結果記憶部」に対応）に記憶させる。また、記憶制御部２６０は、記憶部２５０に記憶させた意匠特定情報のうち、入力受付部１１０から送信された入力信号により選択された（すなわちユーザーに選択された）意匠特定情報を、記憶領域生成部２４０により生成された記憶部２５０の記憶領域に記憶させる。
【００２７】
なお、記憶制御部２６０は、フラグ情報やコメント情報を含む付加情報を記憶領域に記憶させても良い。フラグ情報は、属性情報を含む意匠情報がノイズであるか否かを示す情報である。コメント情報は、属性情報に対してユーザーがコメントを残して他のユーザーと共有することが可能な情報である。
【００２８】
また、記憶制御部２６０は、記憶部２５０の記憶領域に記憶させる意匠特定情報が、本意匠の意匠特定情報である第１意匠特定情報、および、当該本意匠に関連する関連意匠の意匠特定情報である第２意匠特定情報である場合、入力受付部１１０から送信された入力信号に基づいて第１および第２意匠特定情報を互いに関連付けて記憶領域に記憶させる。
【００２９】
また、記憶制御部２６０は、入力受付部１１０から送信された入力信号に基づいて、第１記憶領域（本発明の「第１ユーザー記憶部」に対応）に記憶されている意匠特定情報を第２記憶領域（本発明の「第２ユーザー記憶部」に対応）に移動させる。具体的には、記憶制御部２６０は、表示部１４０により第１および第２記憶領域に対応する第１および第２表示領域のそれぞれに、当該第１および第２記憶領域に記憶されている複数の意匠特定情報のそれぞれに対応付けられている複数の図面情報が表示されている場合、第１表示領域（本発明の「第１図面情報表示領域」に対応）に表示されている第１図面情報を第２表示領域（本発明の「第２図面情報表示領域」に対応）に移動させるユーザーの指示が発生した場合、第１図面情報に対応する第１意匠特定情報の記憶場所を第１ユーザー記憶部から第２ユーザー記憶部に変更する。
【００３０】
また、記憶制御部２６０は、第１図面情報が本意匠の第１意匠特定情報に対応する場合、第１意匠特定情報、および、第１意匠特定情報と同じ第１ユーザー記憶部に記憶され本意匠に関連する関連意匠の第２意匠特定情報の記憶場所を第２ユーザー記憶部に変更する。
【００３１】
また、記憶制御部２６０は、入力受付部１１０から送信された入力信号に基づいて、第１記憶領域に記憶されている意匠特定情報を第２記憶領域に複写（コピー）させる。具体的には、記憶制御部２６０は、表示部１４０により第１および第２記憶領域に対応する第１および第２表示領域のそれぞれに、当該第１および第２記憶領域に記憶されている複数の意匠特定情報のそれぞれに対応付けられている複数の図面情報が表示されている場合、第１表示領域に表示されている第１図面情報を第２表示領域に移動させるユーザーの指示が発生した場合、第１図面情報に対応する第１意匠特定情報の記憶場所を第１ユーザー記憶部から第１および第２ユーザー記憶部に変更する。
【００３２】
また、記憶制御部２６０は、第２検索条件（ＳＤＩ検索条件）に基づいて意匠情報検索部２２０により定期的に検索された意匠情報の意匠特定情報を記憶部２５０に記憶させる。また、記憶制御部２６０は、記憶部２５０に記憶させた意匠特定情報のうち、入力受付部１１０から送信された入力信号により選択された（すなわちユーザーに選択された）意匠特定情報を記憶部２５０の記憶領域に記憶させる。
【００３３】
表示用データ制御部２７０は、記憶部２５０の記憶領域に記憶されている意匠特定情報のうち、入力受付部１１０から送信された入力信号により選択された意匠特定情報を含む意匠情報を表示部１４０に表示させるための表示用データを生成する。そして、表示用データ制御部２７０は、生成した表示用データをクライアント装置１００の表示用データ受信部１２０に送信するよう表示用データ送信部２８０を制御する。
【００３４】
また、表示用データ制御部２７０は、記憶部２５０に形成された複数の記憶領域のうち、入力受付部１１０から送信された入力信号により選択された記憶領域に記憶されている意匠特定情報を含む意匠情報を表示部１４０に表示させるための表示用データを生成する。
【００３５】
また、表示用データ制御部２７０は、意匠情報検索部２２０による検索結果を表示部１４０に表示させるための表示用データを生成する。
【００３６】
また、表示用データ制御部２７０は、入力受付部１１０から送信された入力信号に基づいて、複数の記憶領域に対応する複数の表示領域のそれぞれに、当該記憶領域に記憶されている複数の意匠特定情報のそれぞれに対応付けられている複数の図面情報を、ユーザーが所望する表示態様で同時に表示させるための表示用データを生成する。
【００３７】
また、表示用データ制御部２７０は、表示態様設定部２９０により設定された表示態様に関する情報を表示部１４０に表示させるための表示用データを生成する。
【００３８】
表示態様設定部２９０は、入力受付部１１０から送信された入力信号に基づいて、表示部１４０に表示される図面情報（ある記憶領域に記憶されている意匠特定情報に対応付けられている図面情報）の表示態様を設定する。本実施の形態では、単一の記憶領域に対して複数の表示態様を設定することが可能である。
【００３９】
また、表示態様設定部２９０は、設定した表示態様に関する情報を表示用データ制御部２７０に出力し、当該表示態様で図面情報を表示部１４０に表示させるための表示データを生成するように表示用データ制御部２７０を制御する。また、表示態様設定部２９０は、設定した表示態様を記憶し、表示部１４０に表示されている表示態様に関する情報に対して、過去に設定した表示態様を選択する入力信号が入力受付部１１０から送信された際に、選択された表示態様で図面情報を表示させるための表示データを生成するように表示用データ制御部２７０を制御する。
【００４０】
＜図面情報管理方法＞
本実施の形態に係る図面情報管理方法につき、図２および図３を参照しながら、以下に詳細に説明する。
【００４１】
記憶領域であるカテゴリを生成する場合、記憶領域生成部２４０は、記憶領域としてのカテゴリを記憶部２５０に生成する。記憶領域生成部２４０は、ユーザーによる入力受付部１１０の操作により、階層構造を有するカテゴリを生成する。例えば記憶領域生成部２４０は、図２に示すように、「冷蔵庫」のカテゴリを生成し、カテゴリ「冷蔵庫」の下位の階層に、冷蔵庫のドア構造の違いに応じて「冷蔵庫２ドア」、「冷蔵庫３ドア」および「冷蔵庫４ドア」のカテゴリを生成し、「冷蔵庫２ドア」の下位の階層に、２ドアの構造に違いに応じて「取っ手右」、「取っ手左」および「観音開き」のカテゴリを生成する。
【００４２】
カテゴリに意匠特定情報を記憶させる場合、検索条件設定部２１０は、ユーザーによる入力受付部１１０の操作に応じて入力受付部１１０から送信された入力信号により検索条件を設定する。意匠情報検索部２２０は、検索条件設定部２１０で設定した検索条件を用いて、意匠情報データベース２３０に記憶されている意匠情報を検索する。
【００４３】
表示部１４０には、例えば図３に示す意匠情報検索部２２０による検索結果が表示される。表示部１４０に表示された検索結果には、チェックボックス２０が表示されている。ユーザーは、入力受付部１１０を操作してカテゴリに追加したい意匠特定情報を含む意匠情報のチェックボックス２０にチェックを記入し、入力受付部１１０を操作して表示部１４０に表示されている表示ボタン２２を選択することにより、図３に示すように、表示部１４０にカテゴリ２６を表示させる。
【００４４】
ユーザーは、入力受付部１１０を操作し、表示されたカテゴリ２６のうち、チェックした意匠情報に含まれる意匠特定情報を追加したいカテゴリを選択する。その後、ユーザーは、入力受付部１１０を操作し、図３に示す表示部１４０に表示された追加ボタン２４を選択する。
【００４５】
記憶制御部２６０は、入力受付部１１０に対するユーザーの上記の操作（追加ボタン２４を選択）に応じて入力受付部１１０から送信された入力信号に基づいて、意匠情報検索部２２０から入力した検索結果より、チェックボックス２０にチェックされた意匠情報の意匠特定情報を抽出し、抽出した意匠特定情報を記憶部２５０のユーザーにより選択されたカテゴリに記憶させる。この際、記憶制御部２６０は、カテゴリに記憶させる意匠特定情報が、本意匠の意匠特定情報である第１意匠特定情報、および、当該本意匠に関連する関連意匠の意匠特定情報である第２意匠特定情報である場合、入力受付部１１０から送信された入力信号に基づいて第１および第２意匠特定情報を互いに関連付けてカテゴリに記憶させる。
【００４６】
カテゴリに記憶されている意匠特定情報を含む意匠情報を表示部１４０に表示させる場合、表示用データ制御部２７０は、記憶部２５０のカテゴリに記憶されている意匠特定情報のうち、ユーザーによる入力受付部１１０の操作に応じて入力受付部１１０から送信された入力信号により選択された意匠特定情報を含む意匠情報を、表示部１４０に表示させるための表示用データを生成する。これにより、表示部１４０には、図４に示す意匠特定情報を含む意匠情報（意匠登録公報）が表示される。
【００４７】
次に、図５を参照し、意匠情報検索部２２０による検索結果が表示部１４０に表示される場合において、ユーザーによる入力受付部１１０の操作に応じた表示態様の変化について説明する。
【００４８】
図５に示すように、意匠情報検索部２２０により検索された意匠情報の意匠特定情報を含む属性情報が、属性情報表示領域３０に縦方向に並んでリスト表示される。また、意匠情報検索部２２０により検索された意匠情報の意匠特定情報に対応する図面情報が、図面情報表示領域４０に横方向に並んで表示される。すなわち、表示用データ制御部２７０は、記憶部２５０に記憶された意匠特定情報を含む属性情報を属性情報表示領域３０に表示させるとともに、当該意匠特定情報に対応する図面情報を図面情報表示領域４０に表示させるための表示用データを生成する。そして、表示用データ制御部２７０は、生成した表示用データをクライアント装置１００の表示用データ受信部１２０に送信するよう表示用データ送信部２８０を制御する。
【００４９】
また、図５に示すように、属性情報と、当該属性情報に対応する図面情報３２とが関連付けて属性情報表示領域３０に表示される。すなわち、表示用データ制御部２７０は、属性情報と、当該属性情報に対応する図面情報とを関連付けて属性情報表示領域３０に表示させるための表示用データを生成する。
【００５０】
表示用データ制御部２７０は、ユーザーの指示（例えば、画面上に表示されたスクロールキーの操作）に応じて、属性情報表示領域３０における属性情報の縦方向の表示位置、および、図面情報表示領域４０における図面情報の横方向の表示位置のそれぞれを独立に変更する。
【００５１】
表示用データ制御部２７０は、ユーザーの指示に応じて、属性情報表示領域３０に表示される図面情報の種類と、図面情報表示領域４０に表示される図面情報の種類を変更する。図面情報の種類には、正面図、平面図、斜視図等が存在する。
【００５２】
表示用データ制御部２７０は、図面情報表示領域４０に表示された図面情報のうちユーザーにより選択された図面情報（図５の例では、図面情報４２）に対応する属性情報を属性情報表示領域３０に表示させる。図５Ａは、図面情報表示領域４０に表示された図面情報４２がユーザーにより選択される前の様子を示している。図５Ａでは、図面情報４２に対応する属性情報は、表示サイズの関係から、属性情報表示領域３０に表示されていない。図５Ｂは、図面情報表示領域４０に表示された図面情報４２がユーザーにより選択された後の様子を示している。
【００５３】
図５Ｂに示すように、図面情報４２がユーザーにより選択されることによって、図面情報４２は、図面情報表示領域４０の一番左側（先頭側）に表示される。また、ユーザーにより選択された図面情報４２に対応する属性情報３４が、属性情報表示領域３０の一番上に表示される。このように表示態様が変化することにより、ユーザーは、図面情報表示領域４０に簡易的に表示された図面情報の中から興味を持った図面情報４２を探して選択することにより、図面情報４２に対応する属性情報３４（すなわち、図面情報４２に関する詳細情報）について属性情報表示領域３０を見ることで容易に確認することができる。
【００５４】
次に、図６を参照し、記憶部２５０のカテゴリに記憶されている意匠特定情報を含む属性情報が表示部１４０に表示される場合において、ユーザーによる入力受付部１１０の操作に応じた表示態様の変化について説明する。
【００５５】
図６に示すように、記憶部２５０のカテゴリに記憶されている意匠特定情報を含む属性情報が、属性情報表示領域５０に縦方向に並んでリスト表示される。また、記憶部２５０のカテゴリに記憶されている意匠特定情報に対応する図面情報が、図面情報表示領域６０に横方向に並んで表示される。すなわち、表示用データ制御部２７０は、記憶部２５０のカテゴリに記憶されている意匠特定情報を含む属性情報を属性情報表示領域５０に表示させるとともに、当該意匠特定情報に対応する図面情報を図面情報表示領域６０に表示させるための表示用データを生成する。そして、表示用データ制御部２７０は、生成した表示用データをクライアント装置１００の表示用データ受信部１２０に送信するよう表示用データ送信部２８０を制御する。
【００５６】
ユーザーは、図面情報表示領域６０に表示された図面情報のうち任意に選択した図面情報に対応する意匠特定情報を記憶部２５０に記憶させることができる。すなわち、ユーザーは、入力受付部１１０を操作し、表示部１４０に表示されたカテゴリのうち、選択した図面情報に対応する意匠特定情報を追加したいカテゴリを選択する。その後、ユーザーは、入力受付部１１０を操作し、表示部１４０に表示された追加ボタンを選択する。記憶制御部２６０は、入力受付部１１０に対するユーザーの上記の操作（追加ボタンを選択）に応じて入力受付部１１０から送信された入力信号に基づいて、選択された図面情報に対応する意匠特定情報を抽出し、抽出した意匠特定情報を記憶部２５０のユーザーにより選択されたカテゴリに記憶させる。
【００５７】
また、図６に示すように、属性情報と、当該属性情報に対応する図面情報５２とが関連付けて属性情報表示領域５０に表示される。すなわち、表示用データ制御部２７０は、属性情報と、当該属性情報に対応する図面情報とを関連付けて属性情報表示領域５０に表示させるための表示用データを生成する。
【００５８】
表示用データ制御部２７０は、ユーザーの指示（例えば、画面上に表示されたスクロールキーの操作）に応じて、属性情報表示領域５０における属性情報の縦方向の表示位置、および、図面情報表示領域６０における図面情報の横方向の表示位置のそれぞれを独立に変更する。
【００５９】
表示用データ制御部２７０は、ユーザーの指示に応じて、属性情報表示領域５０に表示される図面情報の種類と、図面情報表示領域６０に表示される図面情報の種類を変更する。図面情報の種類には、正面図、平面図、斜視図等が存在する。
【００６０】
表示用データ制御部２７０は、図面情報表示領域６０に表示された図面情報のうちユーザーにより選択された図面情報（図６の例では、図面情報６２）に対応する属性情報を属性情報表示領域５０に表示させる。図６Ａは、図面情報表示領域６０に表示された図面情報６２がユーザーにより選択される前の様子を示している。図６Ａでは、図面情報６２に対応する属性情報は、表示サイズの関係から、属性情報表示領域５０に表示されていない。図６Ｂは、図面情報表示領域６０に表示された図面情報６２がユーザーにより選択された後の様子を示している。
【００６１】
図６Ｂに示すように、図面情報６２がユーザーにより選択されることによって、図面情報６２は、図面情報表示領域５０の一番左側（先頭側）に表示される。また、ユーザーにより選択された図面情報６２に対応する属性情報５４が、属性情報表示領域５０の一番上に表示される。このように表示態様が変化することにより、ユーザーは、図面情報表示領域６０に簡易的に表示された図面情報の中から興味を持った図面情報６２を探して選択することにより、図面情報６２に対応する属性情報５４（すなわち、図面情報６２に関する詳細情報）について属性情報表示領域５０を見ることで容易に確認することができる。
【００６２】
ところで、カテゴリに記憶されている意匠特定情報を異なるカテゴリに移動する場合、記憶制御部２６０は、ユーザーによる図７に矢印で示す入力受付部１１０を用いたドラックアンドドロップ操作（より具体的には、意匠特定情報に対応付けられている図面情報のドラッグアンドドロップ操作）に応じて入力受付部１１０から送信された入力信号に基づいて、カテゴリ１に記憶されている意匠特定情報を異なるカテゴリ４（カテゴリ１の右隣に表示）またはカテゴリ５（カテゴリ４の右隣に表示）の任意位置（ドロップ位置：ある図面情報と、ある図面情報との間）に移動させる。図７に示すように、表示部１４０は、カテゴリ１、カテゴリ４およびカテゴリ５の表示領域のそれぞれに、カテゴリ１、カテゴリ４およびカテゴリ５のそれぞれに記憶されている複数の意匠特定情報のそれぞれに対応付けられている複数の図面情報を表示している。カテゴリの表示領域において、ユーザーによる入力受付部１１０を用いた図面情報のドラックアンドドロップ操作を行うことによって、当該図面情報の表示並び順を任意に変更する（すなわち、当該図面情報のドラッグ位置からドロップ位置に変更する）ことができる。
【００６３】
この際、記憶制御部２６０は、カテゴリ１に記憶されている本意匠の意匠特定情報および関連意匠の意匠特定情報の一方を別のカテゴリ４またはカテゴリ５に移動させるとき、カテゴリ１に記憶されている本意匠の意匠特定情報および関連意匠の意匠特定情報の他方を、一方と共に一方の移動先であるカテゴリ４またはカテゴリ５に移動させる。これにより、本意匠（関連意匠）の意匠特定情報を別のカテゴリに移動させる際、ユーザーは、関連意匠（本意匠）の意匠特定情報を別のカテゴリに移動させる操作を行う手間をなくすことができる。
【００６４】
表示態様設定部２９０は、図面情報の表示態様（例えば、表示並び順、表示サイズなど）を設定する。例えば、表示部１４０は、図８に示すように、表示態様設定部２９０で設定した表示態様に関する情報を表示する。このように、ユーザーは、自分好みの表示態様を設定することができ、カテゴリ内の意匠特定情報に対応付けられている図面情報を閲覧（スクリーニング）する際の閲覧速度を向上させることができる。
【００６５】
また、表示態様設定部２９０は、表示部１４０に表示されている表示態様に関する情報に対して、過去に設定した表示態様を選択する入力信号が入力受付部１１０から送信された際に、選択された表示態様で図面情報を表示ための表示用データを生成するように表示用データ制御部２７０を制御する。例えば、表示用データ制御部２７０は、第１ユーザーの指示に基づいて図面情報を表示させる際、第２ユーザーの指示に基づいて表示態様設定部２９０により設定された表示態様で表示させるための表示用データを生成する。
【００６６】
以上詳しく説明したように、本実施の形態では、サーバー装置２００は、意匠に関する図面情報と、当該意匠を一意に特定する意匠特定情報を含む属性情報とが関連付けられた意匠情報を記憶する意匠情報データベース２３０から、ユーザーにより設定された検索条件に適合する意匠情報を検索する意匠情報検索部２２０と、意匠情報検索部２２０により検索された意匠情報の意匠特定情報を記憶する記憶部２５０と、記憶部２５０に記憶された意匠特定情報のうち、ユーザーに選択された意匠特定情報を記憶する記憶領域（ユーザー記憶部）とを備える。
【００６７】
このように構成した本実施の形態によれば、意匠情報の検索結果を複数のユーザーで共有する際、当該検索結果を構成する複数の意匠情報のうち再活用する可能性のある意匠情報がユーザー毎に異なる場合であっても、各ユーザーは、ユーザー自身の観点で、検索結果を構成する全ての意匠情報ではなく、再活用する可能性のある意匠情報（カテゴリに記憶されている意匠特定情報を含む意匠情報）に絞って管理することができる。また、カテゴリに記憶されている複数の意匠特定情報のそれぞれに対応付けられている複数の図面情報を、ユーザーが所望する表示態様で同時に表示することによって、ユーザーは、自分好みの表示態様で、カテゴリ内の意匠特定情報に対応付けられている図面情報を閲覧（スクリーニング）することができ、閲覧速度を向上させることができる。以上より、意匠情報の検索結果をユーザー毎に効率良く再利用することができる。
【００６８】
最後に、本実施の形態の具体的な適用例について説明する。通常、冷蔵庫に関して意匠調査を行いたい場合、意匠に係る物品名や意匠分類で冷蔵庫を検索できるものの、２ドアの冷蔵庫、３ドアの冷蔵庫と言った物品の具体的な機能で限定した検索を行うことはできない。それに対して、本実施の形態では、図２に示して説明したように、ユーザー自身の観点で、すなわち冷蔵庫に関する検索結果（意匠情報）の意匠特定情報を２ドアの冷蔵庫、３ドアの冷蔵庫にそれぞれ対応するカテゴリにあらかじめ仕分けて記憶させておくことによって、次回、物品の具体的な機能（例えば、３ドアの冷蔵庫）で限定した意匠調査を行いたい場合、重複検索の手間の削減に加えて、過去の検索結果を効率的に再活用することができる。
【００６９】
なお、上記実施の形態において、単一のカテゴリに対してユーザー毎に異なる利用権限を設定しても良い。ここで、利用権限とは、例えば、カテゴリに対する全ての操作（図面情報の閲覧、表示順の変更および削除など）が可能な権限や、カテゴリ内の図面情報の閲覧のみが可能な権限等である。ユーザーは、表示部１４０に表示された利用権限設定画面（図示せず）に対する操作を行って、単一のカテゴリに対してユーザー毎に異なる利用権限を設定することができる。
【００７０】
また、上記実施の形態において、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００７１】
本発明は、意匠情報の検索結果をユーザー毎に効率良く再利用することが可能なサーバー装置および表示用データ制御方法に好適である。
【符号の説明】
【００７２】
１０  意匠情報管理システム
１００  クライアント装置
１１０  入力受付部
１２０  表示用データ受信部
１３０  表示制御部
１４０  表示部
２００  サーバー装置
２１０  検索条件設定部
２２０  意匠情報検索部
２３０  意匠情報データベース
２４０  記憶領域生成部
２５０  記憶部
２６０  記憶制御部
２７０  表示用データ制御部
２８０  表示用データ送信部
２９０  表示態様設定部
【図１】
2018045589.tif 000003
【図２】
2018045589.tif 000004
【図３】
2018045589.tif 000005
【図４】
2018045589.tif 000006
【図５】
2018045589.tif 000007
【図６】
2018045589.tif 000008
【図７】
2018045589.tif 000009
【図８】
2018045589.tif 000010
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
ネットワークを介したクライアント装置からの要求に基づいて、当該要求に応じた処理を実行するサーバー装置であって、
意匠に関する図面情報と、当該意匠を一意に特定する意匠特定情報を含む属性情報とが関連付けられた意匠情報を記憶する意匠情報データベースと、
前記意匠情報データベースから、ユーザーにより設定された検索条件に適合する意匠情報を検索する意匠情報検索部と、
前記意匠情報検索部により検索された意匠情報の意匠特定情報を記憶する検索結果記憶部と、
前記検索結果記憶部に記憶された意匠特定情報のうち、前記ユーザーに選択された意匠特定情報を記憶するユーザー記憶部と、
同一画面上において、前記検索結果記憶部に記憶された意匠特定情報を含む属性情報を属性情報表示領域に表示させるとともに、前記検索結果記憶部に記憶された意匠特定情報に対応する図面情報を図面情報表示領域に表示させるための表示用データを前記クライアント装置に送信する制御を行う表示用データ制御部と、
を備え、
前記表示用データ制御部は、前記図面情報表示領域に表示された図面情報のうち、前記属性情報表示領域に表示されていない属性情報に対応する図面情報が前記ユーザーにより選択された場合、当該図面情報に対応する属性情報を前記属性情報表示領域に表示させるサーバー装置。
【請求項２】
前記表示用データ制御部は、前記ユーザーの指示に応じて、前記属性情報表示領域における前記属性情報の表示位置、および、前記図面情報表示領域における前記図面情報の表示位置のそれぞれを独立に変更する、
請求項１に記載のサーバー装置。
【請求項３】
前記表示用データ制御部は、前記属性情報と、当該属性情報に対応する図面情報とを関連付けて前記属性情報表示領域に表示させる、
請求項１または２に記載のサーバー装置。
【請求項４】
前記表示用データ制御部は、前記ユーザーの指示に応じて、前記属性情報または図面情報表示領域に表示される図面情報の種類を変更する、
請求項３に記載のサーバー装置。
【請求項５】
前記表示用データ制御部は、前記ユーザー記憶部に記憶された意匠特定情報を含む属性情報を属性情報表示領域に表示させるとともに、当該意匠特定情報に対応する図面情報を図面情報表示領域に表示させる、
請求項１〜４の何れか１項に記載のサーバー装置。
【請求項６】
前記ユーザー記憶部は、前記図面情報表示領域に表示された図面情報のうち前記ユーザーにより選択された図面情報に対応する意匠特定情報を記憶する、
請求項５に記載のサーバー装置。
【請求項７】
前記表示用データ制御部は、前記ユーザーの指示に応じて、前記属性情報表示領域における前記属性情報の表示位置、および、前記図面情報表示領域における前記図面情報の表示位置のそれぞれを独立に変更する、
請求項５または６に記載のサーバー装置。
【請求項８】
前記表示用データ制御部は、前記属性情報と、当該属性情報に対応する図面情報とを関連付けて前記属性情報表示領域に表示させる、
請求項５〜７の何れか１項に記載のサーバー装置。
【請求項９】
前記表示用データ制御部は、前記ユーザーの指示に応じて、前記属性情報または図面情報表示領域に表示される図面情報の種類を変更する、
請求項８に記載のサーバー装置。
【請求項１０】
前記表示用データ制御部は、前記図面情報表示領域に表示された図面情報のうち前記ユーザーにより選択された図面情報に対応する属性情報を前記属性情報表示領域に表示させる、
請求項５〜９の何れか１項に記載のサーバー装置。
【請求項１１】
前記表示用データ制御部は、複数の前記ユーザー記憶部に記憶された意匠特定情報に対応する図面情報を複数の図面情報表示領域に同時に表示させる、
請求項１〜１０の何れか１項に記載のサーバー装置。
【請求項１２】
第１図面情報表示領域に表示された第１図面情報を第２図面情報表示領域に移動させる前記ユーザーの指示により、前記第１図面情報に対応する第１意匠特定情報の記憶場所を第１ユーザー記憶部から第２ユーザー記憶部に変更する記憶制御部を更に備える、
請求項１１に記載のサーバー装置。
【請求項１３】
第１図面情報表示領域に表示された第１図面情報を第２図面情報表示領域に移動させる前記ユーザーの指示により、前記第１図面情報に対応する第１意匠特定情報の記憶場所を第１ユーザー記憶部から第１および第２ユーザー記憶部に変更する記憶制御部を更に備える、
請求項１１に記載のサーバー装置。
【請求項１４】
前記記憶制御部は、前記第１図面情報が本意匠の第１意匠特定情報に対応する場合、前記第１意匠特定情報、および、前記第１ユーザー記憶部に記憶され前記本意匠に関連する関連意匠の第２意匠特定情報の記憶場所を前記第１ユーザー記憶部から前記第２ユーザー記憶部に変更する、
請求項１２に記載のサーバー装置。
【請求項１５】
意匠に関する図面情報と、当該意匠を一意に特定する意匠特定情報を含む属性情報とが関連付けられた意匠情報を記憶する意匠情報データベースから、ユーザーにより設定された検索条件に適合する意匠情報を検索し、
検索された意匠情報の意匠特定情報を検索結果記憶部に記憶し、
前記記憶された意匠特定情報のうち、前記ユーザーに選択された意匠特定情報をユーザー記憶部に記憶し、
同一画面上において、前記検索結果記憶部に記憶された意匠特定情報を含む属性情報を属性情報表示領域に表示させるとともに、前記検索結果記憶部に記憶された意匠特定情報に対応する図面情報を図面情報表示領域に表示させるための表示用データを前記クライアント装置に送信する制御を行い、
前記図面情報表示領域に表示された図面情報のうち、前記属性情報表示領域に表示されていない属性情報に対応する図面情報が前記ユーザーにより選択された場合、当該図面情報に対応する属性情報を前記属性情報表示領域に表示させる表示用データ制御方法。
【手続補正２】
【補正対象書類名】明細書
【補正対象項目名】０００９
【補正方法】変更
【補正の内容】
【０００９】
本発明に係るサーバー装置は、
ネットワークを介したクライアント装置からの要求に基づいて、当該要求に応じた処理を実行するサーバー装置であって、
意匠に関する図面情報と、当該意匠を一意に特定する意匠特定情報を含む属性情報とが関連付けられた意匠情報を記憶する意匠情報データベースと、
前記意匠情報データベースから、ユーザーにより設定された検索条件に適合する意匠情報を検索する意匠情報検索部と、
前記意匠情報検索部により検索された意匠情報の意匠特定情報を記憶する検索結果記憶部と、
前記検索結果記憶部に記憶された意匠特定情報のうち、前記ユーザーに選択された意匠特定情報を記憶するユーザー記憶部と、
同一画面上において、前記検索結果記憶部に記憶された意匠特定情報を含む属性情報を属性情報表示領域に表示させるとともに、前記検索結果記憶部に記憶された意匠特定情報に対応する図面情報を図面情報表示領域に表示させるための表示用データを前記クライアント装置に送信する制御を行う表示用データ制御部と、
を備え、
前記表示用データ制御部は、前記図面情報表示領域に表示された図面情報のうち、前記属性情報表示領域に表示されていない属性情報に対応する図面情報が前記ユーザーにより選択された場合、当該図面情報に対応する属性情報を前記属性情報表示領域に表示させる。
【手続補正３】
【補正対象書類名】明細書
【補正対象項目名】００１０
【補正方法】変更
【補正の内容】
【００１０】
本発明に係る表示用データ制御方法は、
意匠に関する図面情報と、当該意匠を一意に特定する意匠特定情報を含む属性情報とが関連付けられた意匠情報を記憶する意匠情報データベースから、ユーザーにより設定された検索条件に適合する意匠情報を検索し、
検索された意匠情報の意匠特定情報を検索結果記憶部に記憶し、
前記記憶された意匠特定情報のうち、前記ユーザーに選択された意匠特定情報をユーザー記憶部に記憶し、
同一画面上において、前記検索結果記憶部に記憶された意匠特定情報を含む属性情報を属性情報表示領域に表示させるとともに、前記検索結果記憶部に記憶された意匠特定情報に対応する図面情報を図面情報表示領域に表示させるための表示用データを前記クライアント装置に送信する制御を行い、
前記図面情報表示領域に表示された図面情報のうち、前記属性情報表示領域に表示されていない属性情報に対応する図面情報が前記ユーザーにより選択された場合、当該図面情報に対応する属性情報を前記属性情報表示領域に表示させる。
【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
ネットワークを介したクライアント装置からの要求に基づいて、当該要求に応じた処理を実行するサーバー装置であって、
意匠に関する図面情報と、当該意匠を一意に特定する意匠特定情報を含む属性情報とが関連付けられた意匠情報を記憶する意匠情報データベースと、
前記意匠情報データベースから、ユーザーにより設定された検索条件に適合する意匠情報を検索する意匠情報検索部と、
前記意匠情報検索部により検索された意匠情報の意匠特定情報を記憶する検索結果記憶部と、
前記検索結果記憶部に記憶された意匠特定情報のうち、前記ユーザーに選択された意匠特定情報を記憶するユーザー記憶部と、
同一画面上において、前記検索結果記憶部に記憶された意匠特定情報を含む属性情報を属性情報表示領域に表示させるとともに、前記検索結果記憶部に記憶された意匠特定情報に対応する図面情報を図面情報表示領域に表示させるための表示用データを前記クライアント装置に送信する制御を行う表示用データ制御部と、
を備え、
前記表示用データ制御部は、前記図面情報表示領域に表示された図面情報のうち、前記属性情報表示領域に表示されていない属性情報に対応する図面情報が前記ユーザーにより選択された場合、当該図面情報に対応する属性情報を前記属性情報表示領域に表示させるサーバー装置。
【請求項２】
前記表示用データ制御部は、前記ユーザーの指示に応じて、前記属性情報表示領域における前記属性情報の表示位置、および、前記図面情報表示領域における前記図面情報の表示位置のそれぞれを独立に変更する、
請求項１に記載のサーバー装置。
【請求項３】
前記表示用データ制御部は、前記属性情報と、当該属性情報に対応する図面情報とを関連付けて前記属性情報表示領域に表示させる、
請求項１または２に記載のサーバー装置。
【請求項４】
前記表示用データ制御部は、前記ユーザーの指示に応じて、前記属性情報または図面情報表示領域に表示される図面情報の種類を変更する、
請求項３に記載のサーバー装置。
【請求項５】
前記表示用データ制御部は、前記ユーザー記憶部に記憶された意匠特定情報を含む属性情報を属性情報表示領域に表示させるとともに、当該意匠特定情報に対応する図面情報を図面情報表示領域に表示させる、
請求項１〜４の何れか１項に記載のサーバー装置。
【請求項６】
前記ユーザー記憶部は、前記図面情報表示領域に表示された図面情報のうち前記ユーザーにより選択された図面情報に対応する意匠特定情報を記憶する、
請求項５に記載のサーバー装置。
【請求項７】
前記表示用データ制御部は、前記ユーザーの指示に応じて、前記属性情報表示領域における前記属性情報の表示位置、および、前記図面情報表示領域における前記図面情報の表示位置のそれぞれを独立に変更する、
請求項５または６に記載のサーバー装置。
【請求項８】
前記表示用データ制御部は、前記属性情報と、当該属性情報に対応する図面情報とを関連付けて前記属性情報表示領域に表示させる、
請求項５〜７の何れか１項に記載のサーバー装置。
【請求項９】
前記表示用データ制御部は、前記ユーザーの指示に応じて、前記属性情報または図面情報表示領域に表示される図面情報の種類を変更する、
請求項８に記載のサーバー装置。
【請求項１０】
前記表示用データ制御部は、前記図面情報表示領域に表示された図面情報のうち前記ユーザーにより選択された図面情報に対応する属性情報を前記属性情報表示領域に表示させる、
請求項５〜９の何れか１項に記載のサーバー装置。
【請求項１１】
前記表示用データ制御部は、複数の前記ユーザー記憶部に記憶された意匠特定情報に対応する図面情報を複数の図面情報表示領域に同時に表示させる、
請求項１〜１０の何れか１項に記載のサーバー装置。
【請求項１２】
第１図面情報表示領域に表示された第１図面情報を第２図面情報表示領域に移動させる前記ユーザーの指示により、前記第１図面情報に対応する第１意匠特定情報の記憶場所を第１ユーザー記憶部から第２ユーザー記憶部に変更する記憶制御部を更に備える、
請求項１１に記載のサーバー装置。
【請求項１３】
第１図面情報表示領域に表示された第１図面情報を第２図面情報表示領域に移動させる前記ユーザーの指示により、前記第１図面情報に対応する第１意匠特定情報の記憶場所を第１ユーザー記憶部から第１および第２ユーザー記憶部に変更する記憶制御部を更に備える、
請求項１１に記載のサーバー装置。
【請求項１４】
前記記憶制御部は、前記第１図面情報が本意匠の第１意匠特定情報に対応する場合、前記第１意匠特定情報、および、前記第１ユーザー記憶部に記憶され前記本意匠に関連する関連意匠の第２意匠特定情報の記憶場所を前記第１ユーザー記憶部から前記第２ユーザー記憶部に変更する、
請求項１２に記載のサーバー装置。
【請求項１５】
ネットワークを介したクライアント装置からの要求に基づいて、当該要求に応じた処理を実行するサーバー装置の表示用データ制御方法であって、
意匠に関する図面情報と、当該意匠を一意に特定する意匠特定情報を含む属性情報とが関連付けられた意匠情報を記憶する意匠情報データベースから、ユーザーにより設定された検索条件に適合する意匠情報を検索し、
検索された意匠情報の意匠特定情報を検索結果記憶部に記憶し、
前記記憶された意匠特定情報のうち、前記ユーザーに選択された意匠特定情報をユーザー記憶部に記憶し、
同一画面上において、前記検索結果記憶部に記憶された意匠特定情報を含む属性情報を属性情報表示領域に表示させるとともに、前記検索結果記憶部に記憶された意匠特定情報に対応する図面情報を図面情報表示領域に表示させるための表示用データを前記クライアント装置に送信する制御を行い、
前記図面情報表示領域に表示された図面情報のうち、前記属性情報表示領域に表示されていない属性情報に対応する図面情報が前記ユーザーにより選択された場合、当該図面情報に対応する属性情報を前記属性情報表示領域に表示させる表示用データ制御方法。
【手続補正２】
【補正対象書類名】明細書
【補正対象項目名】００１０
【補正方法】変更
【補正の内容】
【００１０】
本発明に係る表示用データ制御方法は、
ネットワークを介したクライアント装置からの要求に基づいて、当該要求に応じた処理を実行するサーバー装置の表示用データ制御方法であって、
意匠に関する図面情報と、当該意匠を一意に特定する意匠特定情報を含む属性情報とが関連付けられた意匠情報を記憶する意匠情報データベースから、ユーザーにより設定された検索条件に適合する意匠情報を検索し、
検索された意匠情報の意匠特定情報を検索結果記憶部に記憶し、
前記記憶された意匠特定情報のうち、前記ユーザーに選択された意匠特定情報をユーザー記憶部に記憶し、
同一画面上において、前記検索結果記憶部に記憶された意匠特定情報を含む属性情報を属性情報表示領域に表示させるとともに、前記検索結果記憶部に記憶された意匠特定情報に対応する図面情報を図面情報表示領域に表示させるための表示用データを前記クライアント装置に送信する制御を行い、
前記図面情報表示領域に表示された図面情報のうち、前記属性情報表示領域に表示されていない属性情報に対応する図面情報が前記ユーザーにより選択された場合、当該図面情報に対応する属性情報を前記属性情報表示領域に表示させる。